(57)【要約】【課題】  ロータリ耕耘装置において、リヤーカバーをワイヤで容易に開放回動し、このワイヤの収納を構成する。【解決手段】  耕耘爪の上部を耕耘カバーで被覆し、耕耘カバーの後端部に左右方向の軸回りにリヤーカバーを上下回動調節自在に支持し、耕耘フレーム部にヒッチ連結棒の前端を左右方向の軸回りに上下回動調節自在に軸支し、ヒッチ連結棒の後側端部に左右方向に沿っている補助作業機の尾輪取付用のスライドヒッチを前後調節自在に取り付け、耕耘フレーム部に設けている伸縮調節自在な耕深調節手段でヒッチ連結棒を介してスライドヒッチを昇降調節可能に構成し、スライドヒッチとリヤーカバーとを所定長さの引き上げワイヤにより着脱自在に連結しているロータリ耕耘装置において、リヤーカバーから取り外した引き上げワイヤの先端側を収納支持する収納支持手段をスライドヒッチに設ける構成とする。【選択図】図４
2014195436.tif 000002
【特許請求の範囲】
【請求項１】
左右方向の横軸回りに回転する耕耘爪（２８，…）の上部を耕耘カバー（２９）で被覆し、該耕耘カバー（２９）の後端部に左右方向の軸回りにリヤーカバー（３１）を上下回動調節自在に支持し、耕耘フレーム部にヒッチ連結棒（３３）の前端を左右方向の軸回りに上下回動調節自在に軸支し、該ヒッチ連結棒（３３）の後側端部に左右方向に沿っている補助作業機の尾輪取付用のスライドヒッチ（３２）を前後調節自在に取り付け、前記耕耘フレーム部に設けている伸縮調節自在な耕深調節手段（３５）で前記ヒッチ連結棒（３３）を介してスライドヒッチ（３２）を昇降調節可能に構成し、前記スライドヒッチ（３２）と前記リヤーカバー（３１）とを所定長さの引き上げワイヤ（３４）により着脱自在に連結しているロータリ耕耘装置（１１）において、前記リヤーカバー（３１）から取り外した引き上げワイヤ（３４）の先端側を収納支持する収納支持手段を前記スライドヒッチ（３２）に設けたことを特徴とするロータリ耕耘装置。
【請求項２】
請求項１の発明において、前記スライドヒッチ（３２）の枠体（３２ａ）のブラケット（４０）に前記引き上げワイヤ（３４）の基端側を支持し、該枠体（３２ａ）のブラケット（４０）の近傍に支持孔（３２ｂ）を貫通開口し、前記リヤーカバー（３１）から取り外した引き上げワイヤ（３４）の先端側を該支持孔（３２ｂ）の一側から挿入し他側から引き出した先端側の連結孔（３４ｂ）にピン（４１）を挿通支持し収納することを特徴とするロータリ耕耘装置。
【請求項３】
請求項１の発明において、前記スライドヒッチ（３２）の枠体（３２ａ）を中空状に構成し、該枠体（３２ａ）のブラケット（４０）に前記引き上げワイヤ（３４）の基端側を支持し、該枠体（３２ａ）のブラケット（４０）の近傍に中空部へ連通する開口部（３２ｃ）を構成し、該開口部（３２ｃ）には弾性支持体（４４）を圧入装着し、前記リヤーカバー（３１）から取り外した引き上げワイヤ（３４）の先端側を該弾性支持体（４４）で弾圧保持し収納することを特徴とするロータリ耕耘装置。
【請求項４】
請求項１の発明において、前記引き上げワイヤ（３４）の自重垂下状態で基端側の連結孔（３４ａ）と先端側の連結孔（３４ｂ）の開口方向を９０度偏位した状態で開口し、前記スライドヒッチ（３２）の枠体（３２ａ）の下面に取り付けているブラケット（４０）の前後方向の連結ボルト（４２）に引き上げワイヤ（３４）の基端側の連結孔（３４ａ）を支持し、引き上げワイヤ（３４）の先端側の連結孔（３４ｂ）を前記リヤーカバーカバー（３２）のブラケットの左右方向の連結ピンで連結し、該枠体（３２ａ）のブラケット（４０）の近傍にワイヤ固定用フック（４６）を設け、前後方向の前記連結ボルト（４２）回りに引き上げワイヤ（３４）を上方へ回動し前記リヤーカバー（３１）から取り外した引き上げワイヤ（３４）の先端側を前記ワイヤ固定用フック（４６）に支持し収納することを特徴とするロータリ耕耘装置。
【請求項５】
請求項１の発明において、前記スライドヒッチ（３２）の鉄板製の枠体（３２ａ）にブラケット（４０）を介して前記引き上げワイヤ（３４）の基端側を支持し、該引き上げワイヤ（３４）の先端側に磁石（４８）を取り付け、前記リヤーカバー（３１）から取り外した引き上げワイヤ（３４）の先端側の磁石（４８）を枠体３２ａの側面に吸引接着し収納することを特徴とするロータリ耕耘装置。
【発明の詳細な説明】
【技術分野】
【０００１】
本発明は、ロータリ耕耘装置に関し、リヤーカバーの開放回動装置に関する。
【背景技術】
【０００２】
耕耘チェンケースの下端部に耕耘軸を回転自在に軸架し、耕耘軸に多数の耕耘爪を取り付けて耕耘装置を構成し、耕耘装置の上側部及び左右両側部を耕耘カバーにより覆い、耕耘カバーの後側端部には左右方向の支点回りにリヤーカバーを上下回動調節自在に軸支したものは、公知である（特許文献１）。
【先行技術文献】
【特許文献】
【０００３】
【特許文献１】特開２００７−６７７６号公報
【発明の概要】
【発明が解決しようとする課題】
【０００４】
耕耘装置の耕耘作業中において耕耘爪，耕耘カバー，リヤーカバーの間に草類や泥が詰まり耕耘装置が円滑に回転しなくなり、リヤーカバーが上方に開放回動しにくくなることがある。本発明はこのような不具合を解消しようとするものである。
【０００５】
即ち、本発明は左右方向の横軸回りに回転する耕耘爪の上部を耕耘カバーで被覆し、該耕耘カバーの後端部に左右方向の軸回りにリヤーカバーを上下回動調節自在に支持し、耕耘フレーム部にヒッチ連結棒の前端を左右方向の軸回りに回動調節自在に軸支し、該ヒッチ連結棒の後側端部に左右方向に沿っている補助作業機，尾輪を取付用のスライドヒッチを前後方向に調節自在に取り付け可能に構成し、前記耕耘フレーム部に設けている伸縮調節自在な耕深調節手段で前記ヒッチ連結棒を介してスライドヒッチを昇降調節可能に構成し、前記スライドヒッチと前記リヤーカバーとを所定長さの引き上げワイヤにより着脱自在に連結し、リヤーカバーを容易に上方へ開放回動できるロータリ耕耘装置（１１）において、リヤーカバーから取り外した引き上げワイヤの先端側を確実に収納支持する手段を提供しようとするものである。
【課題を解決するための手段】
【０００６】
本発明はこのような問題点を解決するために次のような技術的手段を講じた。
請求項１の発明は、左右方向の横軸回りに回転する耕耘爪（２８，…）の上部を耕耘カバー（２９）で被覆し、該耕耘カバー（２９）の後端部に左右方向の軸回りにリヤーカバー（３１）を上下回動調節自在に支持し、耕耘フレーム部にヒッチ連結棒（３３）の前端を左右方向の軸回りに上下回動調節自在に軸支し、該ヒッチ連結棒（３３）の後側端部に左右方向に沿っている補助作業機の尾輪取付用のスライドヒッチ（３２）を前後調節自在に取り付け、前記耕耘フレーム部に設けている伸縮調節自在な耕深調節手段（３５）で前記ヒッチ連結棒（３３）を介してスライドヒッチ（３２）を昇降調節可能に構成し、前記スライドヒッチ（３２）と前記リヤーカバー（３１）とを所定長さの引き上げワイヤ（３４）により着脱自在に連結しているロータリ耕耘装置（１１）において、前記リヤーカバー（３１）から取り外した引き上げワイヤ（３４）の先端側を収納支持する収納支持手段を前記スライドヒッチ（３２）に設けたことを特徴とする。
【０００７】
請求項２の発明は、請求項１の発明において、前記スライドヒッチ（３２）の枠体（３２ａ）のブラケット（４０）に前記引き上げワイヤ（３４）の基端側を支持し、該枠体（３２ａ）のブラケット（４０）の近傍に支持孔（３２ｂ）を貫通開口し、前記リヤーカバー（３１）から取り外した引き上げワイヤ（３４）の先端側を該支持孔（３２ｂ）の一側から挿入し他側から引き出した先端側の連結孔（３４ｂ）にピン（４１）を挿通支持し収納することを特徴とする。
【０００８】
請求項３の発明は、請求項１の発明において、前記スライドヒッチ（３２）の枠体（３２ａ）を中空状に構成し、該枠体（３２ａ）のブラケット（４０）に前記引き上げワイヤ（３４）の基端側を支持し、該枠体（３２ａ）のブラケット（４０）の近傍に中空部へ連通する開口部（３２ｃ）を構成し、該開口部（３２ｃ）には弾性支持体（４４）を圧入装着し、前記リヤーカバー（３１）から取り外した引き上げワイヤ（３４）の先端側を該弾性支持体（４４）で弾圧保持し収納することを特徴とする。
【０００９】
請求項４の発明は、請求項１の発明において、前記引き上げワイヤ（３４）の自重垂下状態で基端側の連結孔（３４ａ）と先端側の連結孔（３４ｂ）の開口方向を９０度偏位した状態で開口し、前記スライドヒッチ（３２）の枠体（３２ａ）の下面に取り付けているブラケット（４０）の前後方向の連結ボルト（４２）に引き上げワイヤ（３４）の基端側の連結孔（３４ａ）を支持し、引き上げワイヤ（３４）の先端側の連結孔（３４ｂ）を前記リヤーカバーカバー（３２）のブラケットの左右方向の連結ピンで連結し、該枠体（３２ａ）のブラケット（４０）の近傍にワイヤ固定用フック（４６）を設け、前後方向の前記連結ボルト（４２）回りに引き上げワイヤ（３４）を上方へ回動し前記リヤーカバー（３１）から取り外した引き上げワイヤ（３４）の先端側を前記ワイヤ固定用フック（４６）に支持し収納することを特徴とする。
【００１０】
請求項５の発明は、請求項１の発明において、前記スライドヒッチ（３２）の鉄板製の枠体（３２ａ）にブラケット（４０）を介して前記引き上げワイヤ（３４）の基端側を支持し、該引き上げワイヤ（３４）の先端側に磁石（４８）を取り付け、前記リヤーカバー（３１）から取り外した引き上げワイヤ（３４）の先端側の磁石（４８）を枠体３２ａの側面に吸引接着し収納することを特徴とする。
【発明の効果】
【００１１】
請求項１の発明によると、左右方向の横軸回りに回転する耕耘爪（２８，…）の上部を耕耘カバー（２９）で被覆し、該耕耘カバー（２９）の後端部に左右方向の軸回りにリヤーカバー（３１）を上下回動調節自在に支持し、耕耘フレーム部にヒッチ連結棒（３３）の前端を左右方向の軸回りに上下回動調節自在に軸支し、該ヒッチ連結棒（３３）の後側端部に左右方向に沿っている補助作業機，尾輪を取付用のスライドヒッチ（３２）を前後調節自在に取り付け、前記耕耘フレーム部に設けている伸縮調節自在な耕深調節手段（３５）で前記ヒッチ連結棒（３３）を介してスライドヒッチ（３２）を昇降調節可能に構成し、前記スライドヒッチ（３２）と前記リヤーカバー（３１）とを所定長さの引き上げワイヤ（３４）により着脱自在に連結しているロータリ耕耘装置（１１）において、前記リヤーカバー（３１）から取り外した引き上げワイヤ（３４）の先端側を収納支持する収納支持手段を前記スライドヒッチ（３２）に設けたので、耕耘カバー（２９）内に草類や泥が詰まり耕耘爪（２８，…）が回転不調になったときには、耕深調節手段（３５）を短縮調節することによりヒッチ連結棒（３３），スライドヒッチ（３２），引き上げワイヤ（３４）を介してリヤーカバー（３１）を楽に上方へ開放回動し、詰まっている草類，泥を容易に取り除くことができる。また、引き上げワイヤ（３４）のリヤーカバー（３１）から取り外した先端側をスライドヒッチ（３２）の収納係止部に支持し収納することにより、スライドヒッチ（３２）を前後方向に調節していても引き上げワイヤ（３４）を確実容易に収納することができる。
【００１２】
請求項２の発明によると、請求項１の発明の前記効果に加えて、前記スライドヒッチ（３２）の枠体（３２ａ）のブラケット（４０）に前記引き上げワイヤ（３４）の基端側を支持し、該枠体（３２ａ）のブラケット（４０）の近傍に支持孔（３２ｂ）を貫通開口し、前記リヤーカバー（３１）から取り外した引き上げワイヤ（３４）の先端側を該支持孔（３２ｂ）の一側から挿入し他側から引き出した先端側の連結孔（３４ｂ）にピン（４１）を挿通支持し収納するので、安価で簡単な構成でありながら引き上げワイヤ（３４）の先端側を確実に支持収納することができる。
【００１３】
請求項３の発明によると、請求項１の発明の前記効果に加えて、前記スライドヒッチ（３２）の枠体（３２ａ）を中空状に構成し、該枠体（３２ａ）のブラケット（４０）に前記引き上げワイヤ（３４）の基端側を支持し、該枠体（３２ａ）のブラケット（４０）の近傍に中空部へ連通する開口部（３２ｃ）を構成し、該開口部（３２ｃ）には弾性支持体（４４）を圧入装着し、前記リヤーカバー（３１）から取り外した引き上げワイヤ（３４）の先端側を該弾性支持体（４４）で弾圧保持し収納するので、安価で簡単な構成でありながらリヤーカバー（３１）から取り外した引き上げワイヤ（３４）の先端側を弾性支持体（４４）で弾圧保持し、引き上げワイヤ（３４）の先端側を枠体（３２ａ）の中空部に納めた状態で収納支持することができる。
【００１４】
請求項４の発明によると、請求項１の発明の前記効果に加えて、前記引き上げワイヤ（３４）の自重垂下状態で基端側の連結孔（３４ａ）と先端側の連結孔（３４ｂ）の開口方向を９０度偏位した状態で開口し、前記スライドヒッチ（３２）の枠体（３２ａ）の下面に取り付けているブラケット（４０）の前後方向の連結ボルト（４２）に引き上げワイヤ（３４）の基端側の連結孔（３４ａ）を支持し、引き上げワイヤ（３４）の先端側の連結孔（３４ｂ）を前記リヤーカバーカバー（３２）のブラケットの左右方向の連結ピンで連結し、該枠体（３２ａ）のブラケット（４０）の近傍にワイヤ固定用フック（４６）を設け、前後方向の前記連結ボルト（４２）回りに引き上げワイヤ（３４）を上方へ回動し前記リヤーカバー（３１）から取り外した引き上げワイヤ（３４）の先端側を前記ワイヤ固定用フック（４６）に支持し収納するので、引き上げワイヤ（３４）の先端側の連結孔（３４ｂ）を左右方向に沿わせた状態でワイヤの捩れを防止しながらリヤーカバー（３１）に容易に連結し、ワイヤの耐久性を高めることができる。また、引き上げワイヤ（３４）を収納する場合には、引き上げワイヤ（３４）の基端側の連結孔（３４ａ）をブラケット（４０）の前後方向の連結ボルト（４２）に支持した状態で、引き上げワイヤ（３４）の先端側をそのまま左右方向上方へ回動してワイヤ固定用フック（４６）に係止し、枠体（３２ａ）の下面に沿わせコンパクトに収納することができる。
【００１５】
請求項５の発明によると、請求項１の発明の前記効果に加えて、前記スライドヒッチ（３２）の鉄板製の枠体（３２ａ）にブラケット（４０）を介して前記引き上げワイヤ（３４）の基端側を支持し、該引き上げワイヤ（３４）の先端側に磁石（４８）を取り付け、前記リヤーカバー（３１）から取り外した引き上げワイヤ（３４）の先端側の磁石（４８）を枠体３２ａの側面に吸引接着し収納するので、引き上げワイヤ（３４）の基端側を枠体（３２ａ）に連結した状態で、引き上げワイヤ（３４）の中間部をＵ字状に屈曲しながら上方へ回動し、磁石（４８）を枠体（３２ａ）の側面に吸着させることにより容易に収納することができる。
【図面の簡単な説明】
【００１６】
【図１】トラクタ全体の側面図。
【図２】ロータリ耕耘装置の側面図，スライドヒッチの斜視図。
【図３】ロータリ耕耘装置の側面図。
【図４】スライドヒッチの斜視図，切断背面図。
【図５】スライドヒッチの斜視図，切断背面図、背面図。
【図６】スライドヒッチの斜視図。
【図７】スライドヒッチの斜視図。
【図８】スライドヒッチの斜視図。
【図９】スライドヒッチの斜視図。
【図１０】スライドヒッチの斜視図。
【図１１】スライドヒッチの斜視図。
【図１２】ロータリ耕耘装置の側面図。
【図１３】ロータリ耕耘装置の側面図。
【図１４】リヤーカバー部の斜視図，背面図。
【図１５】引き上げワイヤの巻き取り装置の側面図，ワイヤの側面図。
【発明を実施するための形態】
【００１７】
以下、図面に基づいて本発明を農業用トラクタに施した実施例について説明する。
まず、図１に基づき本発明を実施するトラクタの全体構成について説明する。
トラクタは走行車体１の前側部にエンジンＥを搭載し、エンジンＥをボンネット２で被覆し、エンジンＥの回転動力をミッションケース３内の主変速装置及び副変速装置で変速し、左右前輪４，４及び左右後輪５，５へ伝達している。
【００１８】
また、ミッションケース３の後側上部にはシート６を設け、その左右両側に左右フェンダ７，７を設け、左右後輪５，５の上部を被覆している。
ミッションケース３の後部上面には油圧シリンダケース８を配設し、油圧シリンダケース８の後側部に左右リフトアーム９，９を上下回動自在に軸支し、３点リンク機構１０を介してロータリ耕耘装置１１を連結し、ミッションケース３の後部から後方へ突出するように軸架しているＰＴＯ軸１２からロータリ耕耘装置１１に動力を伝達し、リフトアーム９，９，リフトロッド１３，１３，３点リンク機構１０でロータリ耕耘装置１１を昇降するように構成している。
【００１９】
また、エンジンＥの後方にはハンドルフレーム１５を立設し、ハンドルフレーム１５の上部にステアリングハンドル１６を設け、シート６、ステアリングハンドル１６をキャビン１７で被覆している。
【００２０】
ロータリ耕耘装置１１はサイドドライブ型に構成されていて、図２及び図３に示すように、左右中央の耕耘伝動ボックス２１から左右両側方に筒状の左右耕耘枠体２２，２２を延出し、左右一側の耕耘枠体２２の一側には耕耘チエーンケース２３を、左右他側にはサイドフレーム（図示省略）を下方に延出するように取り付け、これらの下端部間に耕耘爪２８，…付きの耕耘軸２７を回転自在に軸架しロータリ耕耘装置１１を構成している。そして、耕耘伝動ボックス２１から耕耘筒体２２，耕耘チエーンケース２３内の耕耘伝動装置（図示省略）を経由して耕耘軸２７に動力を伝達している。
【００２１】
前記耕耘伝動ボックス２１の上側部からトップリンクマスト２６を上方に延出し、トップリンクマスト２６の前側上部に３点リンク機構１０の上部リンク１０ａの後端をピン連結し、前側下部に左右ロワーリンク１０ｂ，１０ｂの後端をピン連結している。
【００２２】
耕耘チエーンケース２３とサイドフレーム（図示省略）との間に耕耘カバー２９を取り付けて耕耘爪２８，…の上側部を被覆し、耕耘カバー２９の左右両側に耕耘サイドカバー２９ａ，２９ａを取り付け左右両側部を被覆している。耕耘カバー２９の後側端部には左右方向のピン回りにリヤーカバー３１を上下回動調節自在に取り付け、耕耘爪２８，…の後側部を被覆している。
【００２３】
耕耘伝動ボックス２１の後側部にはヒッチ連結棒３３の前端を左右方向の軸回りに上下回動自在に軸支し、補助作業機，尾輪を取付用のスライドヒッチ３２をヒッチ連結棒３３の後端に取り付けている。
【００２４】
ヒッチ連結棒３３を前後方向に沿う左右連結パイプ３３ａ，３３ａで構成し、左右方向に沿う枠体で構成されているスライドヒッチ３２には左右中央部から前側に突出へするよう左右取付パイプ３２ｄ，３２ｄを取り付け、左右取付パイプ３２ｄ，３２ｄには所定間隔毎に取付孔３２ｅ，…を設けている。しかして、左右連結パイプ３３ａ，３３ａに左右取付パイプ３２ｄ，３２ｄを前後調節自在に挿入し、所定位置で係止ピンで固定することによりスライドヒッチ３２を前後方向に所定間隔毎に長短に調節できる。
【００２５】
また、トップリンクマスト２６の後側上部とヒッチ連結棒３３の前後中間部とを伸縮調節自在の耕深調節手段３５により連結し、ヒッチ連結棒３３，スライドヒッチ３２を上下調節するようにしている。
【００２６】
スライドヒッチ３２の左右中央部には、引き上げワイヤ３４の基端部を連結し、引き上げワイヤ３４の先端側をリヤーカバー３１上面のブラケット３１ａにピン連結し、耕深調節手段３５を伸縮調節することによりヒッチ連結棒３３，スライドヒッチ３２，引き上げワイヤ３４を介してリヤーカバー３１を上方へ強制回動できるように構成している。
【００２７】
ロータリ耕耘装置１１の耕耘作業中に耕耘カバー２９と耕耘爪２８，…との間に草類や泥などが詰まり耕耘爪２８，…が円滑に回転しなくなった場合には、耕深調節手段３５の操作具３５ａを正回転操作してヒッチ連結棒３３，スライドヒッチ３２，引き上げワイヤ３４を介してリヤーカバー３１を上方へ引き上げ、耕耘爪２８，…の後部を開放し、詰まっている草類や泥を容易に取り除くことができる。
【００２８】
また、リヤーカバー３１の引き上げ開始時にはヒッチ連結棒３３に対してスライドヒッチ３２を前後調節することにより、所定長さの引き上げワイヤ３４をスライドヒッチ３２とリヤーカバー３１との間に弛みなく接続することができ、単一の引き上げワイヤ３４によりリヤーカバー３１を確実に上方へ開放回動することができる。
【００２９】
次に、図４に基づき前記引き上げワイヤ３４の収納構成について説明する。
前記スライドヒッチ３２を左右方向に沿った中空四角形状の枠体３２ａで構成し、該枠体３２ａの中央部下面に取り付けているブラケット４０に左右方向に沿うように支持している連結ボルト４２で引き上げワイヤ３４の基端側の連結孔３４ａを挿通支持している。該枠体３２ａのブラケット４０の近傍に例えば上下方向に沿うように支持孔３２ｂを貫通開口し、引き上げワイヤ３４の収納時には支持孔３２ａに引き上げワイヤ３４の先端側の連結孔３４ｂ部を下側から上側に貫通するように挿入し、枠体３２ａから上方へ突出している引き上げワイヤ３４の先端側の連結孔３４ｂに連結ピン４１を挿通し、確実に係止し収納保持するようにしている。
【００３０】
引き上げワイヤ３４の収納用の支持孔３２ｂをヒッチ連結棒３３側に設ける構成であると、スライドヒッチ３２の前後調節状態によっては引き上げワイヤ３４の先端側が収納支持部まで届かない場合があり、引き上げワイヤ３４が収納できない不具合が生じる。しかし、前記のようにスライドヒッチ３２側に支持孔３２ｂを設ける構成であると、安価な構成でありながらスライドヒッチ３２が前後方向に調節されていても確実に引き上げワイヤ３４を係止収納することができる。
【００３１】
次に、図５に基づき引き上げワイヤ３４の収納構成の他の実施例について説明する。
スライドヒッチ３２の枠体３２ａの中央部下面にブラケット４０を取り付け、該ブラケット４０に左右方向に沿うように支持している連結ボルト４２で引き上げワイヤ３４の基端側の連結孔３４ａを支持する。枠体３２ａのブラケット４０の近傍には下側部にだけ開口部３２ｃを設けて枠体３２ａの中空部と連通し上側部は閉鎖状態としている。そして、該開口部３２ｃに例えばゴムなどの弾性材からなる弾性支持体４４を圧入装着し、弾性支持体４４には引き上げワイヤ３４挿通用の上下方向の挿通孔４４ａを形成している。
【００３２】
引き上げワイヤ３４の収納時には、引き上げワイヤ３４先端側の大形の連結孔３４ｂ部により弾性支持体４４の挿通孔４４ａを押し広げながら下側から圧入し連結孔３４ｂ部を枠体３２ａの中空部に挿入する。しかして、弾性支持体４４の挿通孔４４ａ上側部でワイヤ側の先端側の連結孔３４ｂ部の下部を支持し引き上げワイヤ３４の下方への抜け止めを防止し、スライドヒッチ３２の下方に引き上げワイヤ３４を収納保持することができる。
【００３３】
前記構成によると、スライドヒッチ３２が前後方向に調節されている場合にも安価な構成で引き上げワイヤ３４の先端側を収納保持することができる。
次に、図６に基づき前記引き上げワイヤ３４の収納構成の他の実施例について説明する。
【００３４】
中空四角形状の枠体３２ａの左右中央部下面に取り付けられているブラケット４０には前後方向に沿うように連結ボルト４２を取り付け、連結ボルト４２に引き上げワイヤ３４の基端側の連結孔３４ａを挿入支持する。枠体３２ａの下側面にはブラケット４０の左右一側に所定距離隔ててワイヤ固定用フック４６を下方へ突出するように取り付けている。そして、引き上げワイヤ３４の自重垂下状態で基端側の連結孔３４ａと先端側の連結孔３４ｂの開口方向を９０度偏位した状態に構成している。
【００３５】
しかして、引き上げワイヤ３４をリヤーカバー３１に連結する場合には、図６（Ａ）に示すように、引き上げワイヤ３４の基端側の連結孔３４ａをブラケット４０の前後方向の連結ボルト４２に挿通支持し、引き上げワイヤ３４の先端側の連結孔３４ｂを左右方向に沿わせた状態で、引き上げワイヤ３４の捩れを防止しながらリヤーカバー３１を連結することができる。また、引き上げワイヤ３４の連結操作を容易にしワイヤの耐久性を高めることができる。
【００３６】
また、引き上げワイヤ３４を収納する場合には、図６（Ｂ）に示すように、引き上げワイヤ３４の基端側の連結孔３４ａをブラケット４０の前後方向の連結ボルト４２で支持した状態で、引き上げワイヤ３４の先端側をそのまま右側上方へ回動してフック４６に係止することができ、枠体３２ａの下面に沿わせコンパクトに収納することができる。
【００３７】
次に、図７に基づき引き上げワイヤ３４の収納構成の他の実施例について説明する。
枠体３２ａにおける左右中央部下面のブラケット４０には左右方向に沿うように連結ボルト４２を支持し、該連結ボルト４２に引き上げワイヤ３４の基端側の連結孔３４ａを挿入支持し、引き上げワイヤ３４の先端側の連結孔３４ｂの近傍に磁石４８を取り付けている。
【００３８】
しかして、引き上げワイヤ３４を収納する際には、図７（Ａ）に示すように、引き上げワイヤ３４を基端側の連結孔３４ａ回りに前側上方へ回動し、磁石４８をヒッチ連結棒３３の下面に接着し、引き上げワイヤ３４をコンパクトに容易に収納することができる。
【００３９】
また、図７（Ｂ）に示すように、引き上げワイヤ３４の中間部を例えば前側にＵ字状に屈曲しながら上方へ回動し、磁石４８を枠体３２ａの下面に吸引接着し、引き上げワイヤ３４をコンパクトに容易に収納することができる。
【００４０】
次に、図８に基づき引き上げワイヤ３４の収納構成の他の実施例について説明する。
図８（Ａ）に示すように、スライドヒッチ３２には引き上げワイヤ３４の基端側の連結孔３４ａをピン連結し、引き上げワイヤ３４の先端側の連結孔３４ｂをリヤーカバー３１上面のブラケット３１ａにピン連結し、耕深調節手段３５を伸縮調節しヒッチ連結棒３３、スライドヒッチ３２，引き上げワイヤ３４を介してリヤーカバー３１を上方へ開放回動する構成において、リヤーカバー３１の上側面前側上部に引き上げワイヤ３４係止収納用のフック５０を設けている。
【００４１】
引き上げワイヤ３４を収納する際には、引き上げワイヤ３４の先端側の連結孔３４ｂをリヤーカバー３１に連結したままの状態で、引き上げワイヤ３４の基端側の連結孔３４ａをスライドヒッチ３２から取り外し、引き上げワイヤ３４をリヤーカバー３１の上面に沿うように直線状として前側へ導き、引き上げワイヤ３４の基端側の連結孔３４ａをリヤーカバー３１の上側面上部のフック５０に係止し収納する。
【００４２】
図８（Ｂ）に示すように、引き上げワイヤ３４の先端側の連結孔３４ｂをリヤーカバー３１から取り外し、引き上げワイヤ３４の基端側の連結孔３４ａをスライドヒッチ３２に連結したままで、引き上げワイヤ３４の中間部をＵ字状に屈曲して前側上方へ導き、引き上げワイヤ３４の先端側の連結孔３４ｂをブラケット４０の側方のフック５０ａに係止し収納してもよい。
【００４３】
また、図９のように構成してもよい。引き上げワイヤ３４を収納する際には、引き上げワイヤ３４の基端側をスライドヒッチ３２に取り付けたままの状態で、引き上げワイヤ３４の先端側をリヤーカバー３１から取り外し、引き上げワイヤ３４の中途部を屈曲させながら先端側をスライドヒッチ３２の一端側に導き、引き上げワイヤ３４の先端側を輪ゴム５２で係止し収納する。
【００４４】
また、スライドヒッチ３２の枠体３２ａの下面にブラケット４０を取り付けるにあたり、図１０に示すように枠体３２ａの下面に左右方向に沿うように左右ナット５４，５４を固着し、左右ナット５４，５４にブラケット４０の左右取付孔４０ａ，４０ａを合わせ左右ボルト５５，５５により締結すると、ブラケット４０を左右方向に沿わせて適正に取り付け、引き上げワイヤ３４を適正に連結することができる。
【００４５】
また、図１１に示すように、ブラケット４０及び収納係止手段を一体的に構成してもよい。帯状板体５７の左右一側にブラケット４０を取り付け、帯状板体５７の左右他側をＵ字状に折り曲げてフック部４０ｄを構成する。スライドヒッチ３２の枠体３２ａの下面に帯状板体５７を左右方向に沿わせ左右一側をボルト締結し、ブラケット４０に引き上げワイヤ３４の基端側を取り付ける。
【００４６】
引き上げワイヤ３４を収納する際には、ブラケット４０に引き上げワイヤ３４の基端側を取り付けた状態で、中間部を前側にＵ字状に屈曲させながら引き上げワイヤ３４の先端部をフック部４０ｄに係止する。前記構成によると、ブラケット４０と引き上げワイヤ３４の収納係止手段を単一部品にまとめることができ、安価で取付作業も簡単化することができる。
【００４７】
次に、図１２乃至図１４に示す実施例について説明する。
耕耘カバー２９，左右耕耘サイドカバー２９ａ，２９ａを耕耘軸２７回りに回動調節自在に構成し、トップリンクマスト２６に取り付け伸縮調節自在の耕耘カバー調節手段６０により耕耘カバー２９を回動調節可能に構成している。前記ヒッチ連結棒３３とリヤーカバー３１とを伸縮調節自在なプッシュロッド６１により連結し、ロータリ耕耘装置１１の耕耘カバー２９，リヤーカバー３１を所定の回動高さに調節保持し、耕耘深度を規制しながら耕耘作業をするように構成している。
【００４８】
リヤーカバー３１の上面に取り付けている左右ブラケット３１ａ，３１ａには図１４に示すように左右方向の連結ピン６２を支架し、連結ピン６２における左右ブラケット３１ａ，３１ａの中間部に前記プッシュロッド６１の下側孔を挿通支持し、左右方向の移動を規制しプッシュロッド６１の離脱を防止するようにしている。連結ピン６２における右ブラケット３１ａの右側方に突出した部位に前記引き上げワイヤ３４の先端側の連結孔３４ｂを挿通連結するようにしている。
【００４９】
左右ブラケット３１ａ，３１ａには引き上げワイヤ３４の離脱防止用のワイヤ係止手段６３を設けている。このワイヤ係止手段６３は、左右ブラケット３１ａ，３１ａにおける連結ピン６１の下方部位に左右移動自在に挿入支持されているピン６３ａと、ピン６３ａの右側部から上方へ向けて延出されている背面視Ｕ字状の係止凹部６３ｂと、係止凹部６３ｂの上部に構成されている前記連結ピン６２の挿入可能な左右方向に沿った係止孔６３ｃと、ピン６３ａに装着されていてピン６３ａを左側に押圧し離脱防止をするバネ６３ｄと、バネ６３ｄの端部を係止する割ピン６３ｅで、構成されている。
【００５０】
しかして、引き上げワイヤ３４の連結状態では、図１４（Ｂ）に示すように、引き上げワイヤ３４の先端側の連結孔３４ｂを連結ピン６２に挿通した連結状態では、ワイヤ係止手段６３の係止凹部６３ｂにより引き上げワイヤ３４の左右の動きが規制され、係止凹部６３ｂはバネ６３ｄにより離脱が防止されている。
【００５１】
また、引き上げワイヤ３４の取り外し、取り付け状態は、図１４（Ｄ）に示すように、ワイヤ係止手段６３をバネ６３ｄに抗して右側に移動し、係止凹部６３ｂを連結ピン６２の右側から引き抜き、引き上げワイヤ３４の先端側の連結孔３４ｂを連結ピン６２から取り外し，取り付けることができる。
【００５２】
また、引き上げワイヤ３４を収納するときには、引き上げワイヤ３４の先端側連結孔３４ｂを連結ピン６２に連結したままの状態で、スライドヒッチ３２から取り外した基端側の連結孔３４ａをリヤーカバー３１に設けているフック（図示省略）に係止し収納する。
【００５３】
前記構成によると、ワイヤ係止手段６３により引き上げワイヤ３４の離脱を防止しながらリヤーカバー３１の開放回動を安全に実行することができる。
また、図１５（Ａ）に示すように、スライドヒッチ３２の枠体３２ａに巻き取り装置６７を取り付け、巻き取りドラム（図示省略）に引き上げワイヤ３４の基端側を接続し、ハンドル６８を正回転して巻き取りドラムを回転し引き上げワイヤ３４を巻き取り収納し、また、巻き取りドラムから引き上げワイヤ３４を引っ張り引き出すように構成してもよい。また、巻き取りドラムをモータの正逆回転で引き出したり，巻き取り収納するようにしてもよい。
【００５４】
また、図１５（Ｂ）に示すように、引き上げワイヤ３４を螺旋状にして伸縮可能に構成し、引き上げワイヤ３４の使用時には引き出して伸長させ、また、収納時には引き上げワイヤ３４を短縮復元させて収納するようにしてもよい。
【００５５】
また、スライドヒッチ３２の枠体３２ａを断面四角形状の中空状に構成して左右一端に開閉自在の蓋を設け、引き上げワイヤ３４の収納の際には、ワイヤの基端側及び先端側を取り外した引き上げワイヤ３４を枠体３２ａの空間部に収納するようにしてもよい。
【符号の説明】
【００５６】
１１    ロータリ耕耘装置
２８    耕耘爪
２９    耕耘カバー
３１    リヤーカバー
３２    スライドヒッチ
３２ａ  枠体
３２ｂ  支持孔
３２ｃ  開口部
３３    ヒッチ連結棒
３４    引き上げワイヤ
３４ａ  基端側の連結孔
３４ｂ  先端側の連結孔
３５    耕深調節手段
４０    ブラケット
４１    ピン
４２    連結ボルト
４４    弾性支持体
４６    ワイヤ固定用フック
４８    磁石
【図１】
2014195436.tif 000003
【図２】
2014195436.tif 000004
【図３】
2014195436.tif 000005
【図４】
2014195436.tif 000006
【図５】
2014195436.tif 000007
【図６】
2014195436.tif 000008
【図７】
2014195436.tif 000009
【図８】
2014195436.tif 000010
【図９】
2014195436.tif 000011
【図１０】
2014195436.tif 000012
【図１１】
2014195436.tif 000013
【図１２】
2014195436.tif 000014
【図１３】
2014195436.tif 000015
【図１４】
2014195436.tif 000016
【図１５】
2014195436.tif 000017